【手続補正書】
【提出日】平成19年1月26日(2007.1.26)
【手続補正１】
【補正対象書類名】特許請求の範囲
【補正対象項目名】全文
【補正方法】変更
【補正の内容】
【特許請求の範囲】
【請求項１】
集積化された薄いディスプレイ装置であって、
基板と、少なくとも１個の発光装置とを含み、
該基板は第１の表面と第２の表面とを有し、
該基板には該第１の表面から該第２の表面へ該基板を通って延びている少なくとも１個の貫通部が形成されていて、
該各貫通部は側壁、該第１の表面により形作られる入口開口部、および該第２の表面により形作られる出口開口部を有し、
さらに、前記ディスプレイ装置は、前記貫通部の出口開口部に結びついている光拡散器を有し、
該各発光装置は対応する貫通部の入口開口部の近くで該基板の該第１の表面に装着されていて、該各発光装置は光が該入口開口部を経由して該貫通部に選択的に導かれるようになっていて、
該各発光装置は該基板上に配置された対応する導電体に電気的に接続されている、
ディスプレイ装置。
【請求項２】
請求項１記載の装置において、前記基板は実質的に一様な厚さを有する、ディスプレイ装置。
【請求項３】
請求項１記載の装置において、前記基板は変化する断面を有する、ディスプレイ装置。
【請求項４】
請求項１記載の装置において、前記基板は印刷配線基板を含む、ディスプレイ装置。
【請求項５】
請求項１記載の装置において、前記基板はユーザインターフェイス・パネルを含む、ディスプレイ装置。
【請求項６】
請求項１記載の装置において、前記側壁は実質的に不透明な材料で覆われている、ディスプレイ装置。
【請求項７】
請求項６記載の装置において、前記実質的に不透明な材料は反射性材料である、ディスプレイ装置。
【請求項８】
請求項７記載の装置において、前記実質的に不透明な材料は塗料である、ディスプレイ装置。
【請求項９】
請求項７記載の装置において、前記反射性材料は反射性被膜である、ディスプレイ装置。
【請求項１０】
請求項１記載の装置において、更に、前記貫通部の内側に光ガイドを含む、ディスプレイ装置。
【請求項１１】
請求項１０記載の装置において、前記光ガイドは高屈折率の材料を含む、ディスプレイ装置。
【請求項１２】
請求項１１記載の装置において、前記高屈折率の材料は光透過性エポキシを含む、ディスプレイ装置。
【請求項１３】
請求項１０記載の装置において、前記基板は実質的に不透明な材料を含む、ディスプレイ装置。
【請求項１４】
請求項１０記載の装置において、前記基板は実質的に光を通さない材料を含む、ディスプレイ装置。
【請求項１５】
請求項１記載の装置において、前記光拡散器は前記出口開口部に付けられた光透過性材料の層を含む、ディスプレイ装置。
【請求項１６】
請求項１記載の装置において、前記発光装置は発光ダイオードを含む、ディスプレイ装置。
【請求項１７】
請求項１記載の装置において、前記発光装置は電灯を含む、ディスプレイ装置。
【請求項１８】
請求項１記載の装置において、前記発光装置はOLEDを含む、ディスプレイ装置。
【請求項１９】
請求項１記載の装置において、前記発光装置はPLEDを含む、ディスプレイ装置。
【請求項２０】
請求項１記載の装置において、前記ディスプレイは単一の貫通部が形成された単素子ディスプレイを含む、ディスプレイ装置。
【請求項２１】
請求項１記載の装置において、前記ディスプレイは複数個の貫通部が形成された複数素子ディスプレイを含む、ディスプレイ装置。
【請求項２２】
請求項１記載の装置において、更に、前記基板上に搭載した少なくとも１個の電子部品を含む、ディスプレイ装置。
【請求項２３】
請求項２２記載の装置において、前記電子部品はセンサを含む、ディスプレイ装置。
【請求項２４】
請求項２３記載の装置において、前記センサは前記基板上に配置された少なくとも第１の電極を含む、ディスプレイ装置。
【請求項２５】
請求項２４記載の装置において、前記センサは更に前記基板上に配置された第２の電極を含む、ディスプレイ装置。
【請求項２６】
請求項２４記載の装置において、前記センサは更に前記第１の電極と電気的に結合している能動部品を含む、ディスプレイ装置。
【請求項２７】
請求項２４記載の装置において、前記センサは更に前記第１の電極と電気的に結合している集積制御回路を含む、ディスプレイ装置。
【請求項２８】
請求項１記載の装置において、複数個の前記貫通部が配置されて複数素子ディスプレイを構成している、ディスプレイ装置。
【請求項２９】
請求項１記載の装置において、複数個の前記貫通部が配置されて７素子ディスプレイを構成している、ディスプレイ装置。
【請求項３０】
基板と少なくとも１個の発光装置とを含み、集積化される薄いディスプレイ装置であって、
該基板は第１の表面と第２の表面とを有し、
該基板には少なくとも１個の空洞部が形成されていて、
該空洞部は実質的に不透明の側壁、該第１の表面により形作られる入口開口部、および閉端部を有し、
該各発光装置は対応する空洞部の入口開口部の近くで該基板の該第１の表面に装着されていて、該各発光装置は光が該入口開口部を経由して該貫通部に選択的に導かれるようになっており、さらに前記発光装置の各々は前記基板の前記第１の表面に付けられた電気導体と電気的に結合している、
ディスプレイ装置。
【請求項３１】
請求項３０記載の装置において、前記基板は実質的に一様な厚さを有する、ディスプレイ装置。
【請求項３２】
請求項３０記載の装置において、前記基板は変化する断面を有する、ディスプレイ装置。
【請求項３３】
請求項３０記載の装置において、前記基板は印刷配線基板を含む、ディスプレイ装置。
【請求項３４】
請求項３０記載の装置において、前記基板はユーザインタフェイス・パネルを含む、ディスプレイ装置。
【請求項３５】
請求項３０記載の装置において、前記側壁は実質的に不透明な材料で覆われている、ディスプレイ装置。
【請求項３６】
請求項３５記載の装置において、前記実質的に不透明な材料は反射性材料である、ディスプレイ装置。
【請求項３７】
請求項３６記載の装置において、前記実質的に不透明な材料は塗料である、ディスプレイ装置。
【請求項３８】
請求項３６記載の装置において、前記反射性材料は反射性被膜である、ディスプレイ装置。
【請求項３９】
請求項３０記載の装置において、更に、前記空洞部の内側に光ガイドを含む、ディスプレイ装置。
【請求項４０】
請求項３９記載の装置において、前記光ガイドは高屈折率の材料を含む、ディスプレイ装置。
【請求項４１】
請求項４０記載の装置において、前記高屈折率の材料は光透過性エポキシを含む、ディスプレイ装置。
【請求項４２】
請求項３９記載の装置において、前記基板は実質的に不透明な材料を含む、ディスプレイ装置。
【請求項４３】
請求項３９記載の装置において、前記基板は実質的に光を通さない材料を含む、ディスプレイ装置。
【請求項４４】
請求項３０記載の装置において、更に、前記空洞部の前記閉端部に付いている光拡散器を含む、ディスプレイ装置。
【請求項４５】
請求項４４記載の装置において、前記拡散器は前記空洞部の前記閉端部の上に加えた光透過性材料の層を含む、ディスプレイ装置。
【請求項４６】
請求項３０記載の装置において、前記発光装置は発光ダイオードを含む、ディスプレイ装置。
【請求項４７】
請求項３０記載の装置において、前記発光装置は電灯を含む、ディスプレイ装置。
【請求項４８】
請求項３０記載の装置において、前記発光装置はOLEDを含む、ディスプレイ装置。
【請求項４９】
請求項３０記載の装置において、前記発光装置はPLEDを含む、ディスプレイ装置。
【請求項５０】
請求項３０記載の装置において、前記ディスプレイは単一の空洞部が形成された単素子ディスプレイを含む、ディスプレイ装置。
【請求項５１】
請求項３０記載の装置において、前記ディスプレイは複数個の空洞部が形成された複数素子ディスプレイを含む、ディスプレイ装置。
【請求項５２】
請求項３０記載の装置において、更に、前記基板上に搭載した少なくとも１個のセンサを含む、ディスプレイ装置。
【請求項５３】
請求項５２記載の装置において、前記センサは前記基板上に配置された少なくとも第１の電極を含む、ディスプレイ装置。
【請求項５４】
請求項５３記載の装置において、前記センサは更に前記基板上に配置された第２の電極を含む、ディスプレイ装置。
【請求項５５】
請求項５３記載の装置において、前記センサは更に前記第１の電極と電気的に結合している能動部品を含む、ディスプレイ装置。
【請求項５６】
請求項５３記載の装置において、前記センサは更に前記第１の電極と電気的に結合している集積制御回路を含む、ディスプレイ装置。
【請求項５７】
請求項３０記載の装置において、複数個の前記空洞部が配置されて複数素子ディスプレイを構成している、ディスプレイ装置。
【請求項５８】
請求項１記載の装置において、複数個の前記空洞部が配置されて７素子ディスプレイを構成している、ディスプレイ装置。